(57)【要約】【課題】洗濯パン付近で椅子等に座ったままの状態で、前記洗濯パン付近に設けられた窓等の開口部から該開口部越しに洗濯物を干すことができる、或は取り込むことができる洗濯物干機を提供すること。【解決手段】洗濯パン１５付近に設けられた開口部１６の屋外側からベランダ又は庭まで吊設されたレール２と、該レール２に案内され長さ方向に所定の間隔をおいて複数個形成された引掛孔４を有する吊り帯３と、該吊り帯３の一端に接続され該吊り帯３を送給又は巻取り可能にする巻取り機５と、該巻取り機５の運転を制御する操作盤６とを具備することを特徴とする洗濯物干機１。【選択図】　　　図１
2004089330.tif 000002
【特許請求の範囲】
【請求項１】
洗濯パン付近に設けられた開口部の屋外側からベランダ又は庭まで吊設されたレールと、該レールに案内され長さ方向に所定の間隔をおいて複数個形成された引掛孔を有する吊り帯と、該吊り帯の一端に接続され該吊り帯を送給又は巻取り可能にする巻取り機と、該巻取り機の運転を制御する操作盤と、を具備することを特徴とする洗濯物干機。
【発明の詳細な説明】
【０００１】
【発明の属する技術分野】
本発明は、室内から窓越しに洗濯物を干したり取り込んだりできる洗濯物干機に関し、特に、車椅子利用者のようなハンディキャップを持つ人や高齢者等でも容易に取扱うことができる洗濯物干機に関するものである。
【０００２】
【従来の技術】
一般に、洗濯機は浴室等の水回り付近に設置された洗濯パン内に載置されており、ベランダや庭等の洗濯物を干す場所とは離れている。そのため、洗濯物を干したり取り込んだりする場合には、洗い終えた洗濯物を室内に設置されている洗濯機からベランダや庭等に設置された物干し竿まで持ち運んで吊るしたり、乾いた洗濯物をベランダや庭等に取り込みに行く必要があった。
【０００３】
また、ベランダや庭等に設置されている物干し竿は、人が立った状態でハンガーを掛けられる程度のある一定の高さを持った場所に設置されることが多く、場合によっては手の届かない高い所に設置されていることもあり、この場合、別の道具を使用して物干し竿を設置場所から下ろして洗濯物を干し、再度高い所へ物干し竿を戻し置かなければならない。また、物干し竿が足場の安定しない所に設置されている場合も少なくなく、急に雨などが降り出した為に急いで洗濯物を取り込みたいという場合などは大変なものであった。
【０００４】
【発明が解決しようとする課題】
しかしながら、健康な人にとってはこのような場所に設置された物干し竿に洗濯物を干したり取り込んだりする作業は問題ではないが、車椅子利用者のようなハンディキャップを持つ人や高齢者等にとっては大変な労力となり、特に、一人暮しの人にとっては誰かの助けを借りなければ洗濯物を干すことができないという深刻な問題があった。また、上記ように物干し竿が高い所に設置されている場合には、車椅子等に座った状態では物干し竿まで手が届かないために、洗濯物を干すことができないという問題点もあった。
【０００５】
本発明は、上記課題に鑑みてなされたものであって、本発明は、室内で車椅子等に座ったままの状態で、洗濯パン付近に設けられた窓等の開口部から該開口部越しに洗濯物を干したり取り込んだりすることができる洗濯物干機を提供することを目的としている。
【０００６】
【課題を解決するための手段】
上記目的を達成するために、請求項１記載の洗濯物干機は、洗濯パン付近に設けられた開口部の屋外側からベランダ又は庭まで吊設されたレールと、該レールに案内され長さ方向に所定の間隔をおいて複数個形成された引掛孔を有する吊り帯と、該吊り帯の一端に接続され該吊り帯を送給又は巻取り可能にする巻取り機と、該巻取り機の運転を制御する操作盤と、を具備することを特徴としている。
【０００７】
【発明の実施の形態】
以下、本発明の実施の形態に係る洗濯物干機を図面に基づいて説明する。図１に示すように、この洗濯物干機１はレール２と、該レール２に案内された吊り帯３と、該吊り帯３に複数個形成された引掛孔４と、前記吊り帯３の一端に接続され前記吊り帯３を送給又は巻取り可能な巻取り機５と、該巻取り機５の運転を制御するための操作盤６と、を備えている。
【０００８】
前記レール２は、前記吊り帯３をベランダ又は庭の洗濯物を干すための所定位置まで案内するために、洗濯パン付近に設けられた開口部の屋外側からベランダ又は庭の所定位置まで延長された長尺部材であり、吊り具７によって図外の庇や軒等に吊設されている。また、前記レール２は、図２及び３に示すように、開口部が下向きの略Ｃ字形の形状を有しており、前記レール２の下部のリップ部には、前記吊り帯３を嵌合させ且つ落下を防止するために上方に突出した引掛爪８が形成されている。なお、前記レール２の材質は、容易に加工でき軽量で丈夫且つ酸化に強い例えばアルミニウム等の金属が好適であるが、前記吊り帯３を嵌合して吊り帯３やその引掛孔４に釣支される洗濯物等を支持できるものであれば、これに限定されるものではない。
【０００９】
前記吊り帯３は、その一端が前記巻取り機５に接続され且つ前記レール２によって前記巻取り機５からベランダ又は庭等の所定位置まで案内された長ベルトであり、前記巻取り機５によって送給又は巻取り可能に前記レール２に沿って移動する。また、前記吊り帯３は、図４及び５に示すように横断面が略Ｔ字形状の長ベルトであり、前記吊り帯３の垂直部分と水平部分が当接した入隅部には、前記引掛爪８に引っ掛かるように引掛溝９が形成されている。この引掛溝９は、吊り帯３を前記レール２の内部に嵌合させた際に前記引掛爪８とかみ合って吊り帯３がレール２から落下するのを防止するためのものである。つまり、前記レール２と前記吊り帯３は前記引掛爪８及び引掛溝９によって互い外れることがないように形成されている。なお、前記吊り帯３は内部芯材を柔軟性のある合成樹脂で形成し、その外側を頑丈な繊維で纒着して形成すればよいが、内部芯材及びその外側はこれに限らず、レール２に従って自在に変形できるように内部芯材を柔軟性のある材料で、またレール２に接する外側を硬質な材料で形成すれば、その材料は種々選択できる。
【００１０】
前記引掛孔４は、前記吊り帯３の長さ方向に所定の間隔をおいて複数個穿設されたハンガーのフックを釣支するための開口部であり、その大きさはハンガーのフックが挿入できる大きさであればよい。また、各引掛孔４の間隔は種々選択できるが、ハンガーに掛けられた洗濯物が乾燥し易く、且つ容易にハンガーを掛けたり外したりできることを考慮して適切な範囲で穿設すればよく、通常の洗濯物の場合には、２０ｃｍ前後が適当である。
【００１１】
前記巻取り機５は、図１に示すように前記吊り帯３の一端に接続され該吊り帯３の送給又は巻取りを行うための装置であり、前記巻取り機５の全体を支持する横断面がコの字型の凹形状の支持部１０と、該支持部１０の凹部に回転可能に垂設された棒状の部材であって、その周囲に前記吊り帯３を巻装するための本体部１１と、前記支持部１０の下面に固定され前記本体部１１を正方向及び他方向に回転させるためのモータ部１２と、該モータ部を制御するための操作盤６と、を備えている。この前記巻取り機５は、前記本体部１１が正方向に回転することによって前記吊り帯３がレール２に従って前記巻取り機５からベランダ又は庭等の所定位置まで送給され、一方、前記本体部１１が他方向に回転することで、前記吊り帯３が本体部１１に巻取られる機構となっている。ただし、この巻取り機５には図外の送り出し装置が設けられており、前記本体部１１が正方向に回転した際に吊り帯３がレール２に従って正しく送り出されるように構成されている。
【００１２】
前記操作盤６は、前記巻取り機５の運転、即ち前記本体部１１の回転方向やその回転速度を制御するためのスイッチや速度ボリュームボタン等が収められているコントローラーであり、前記モータ部１２に連結した電気ケーブル１３の他端に連結されている。また、操作盤６に収められているスイッチや速度ボリュームボタン等は使いやすさを考えて大きくて操作し易いものとし、且つ容易に操作できるようその数を少なくすることが望ましい。さらに、操作盤６は、前記モータ部１２を遠隔操作できるように構成したリモートコントローラーであってもよく、この場合、前記モータ部１２には操作盤６からの制御信号を受信するためのセンサが具備されており、このセンサの受信可能範囲内であれば、室内の開口部から離れた場所からでも巻取り機５を操作することが可能である。
【００１３】
以下、本実施形態に係る洗濯物干機１の設置場所および使用について図面に基づいて説明する。前記洗濯物干機１は、図６に示すように洗濯機１４が載置された洗濯パン１５付近に設けられた窓等の開口部１６の屋外側の所定位置に設置されている。このとき、前記レール２は、車椅子利用者のようなハンディキャップを持つ人１７や高齢者等が室内で車椅子等に座ったままの状態で、前記開口部１６越しにハンガー１９のフック２０を前記引掛孔４に掛けられる範囲内の屋外側を通過して、ベランダ又は庭まで前記吊り帯３を案内することができるように、前記吊り具７によって図外の庇や軒等に吊設されている。具体的には、レール２は洗濯物１８を吊るしたハンガー１９のフック２０を前記引掛孔４に釣支したときの前記洗濯物１８が床や地面等に着かない高さ（床や地面等から６０ｃｍ程度）から、椅子等に座ったままの状態で手を肩の上に伸ばして前記フック２０を前記引掛孔４に釣支することのできる高さ（床や地面等から１２０ｃｍ程度）、特に車椅子に座ったときの肘の高さである約７０ｃｍから肩の高さである約１００ｃｍの範囲内の前記開口部１６の屋外側に前記引掛孔４が位置するように配置し、ベランダ又は庭まで前記吊り帯３が案内されるように吊設すると好適である。また、前記巻取り機５は、メンテナンス等を考慮して、前記開口部１６の屋外側近傍の壁面等に設置されるのが好適である。さらに、前記操作盤６は、車椅子利用者のようなハンディキャップを持つ人１７や高齢者等が室内で車椅子や椅子等に座ったままの状態で容易に操作できるよう、室内壁等の所定の高さに設置されることが望ましい。
【００１４】
この洗濯物干機１を使って洗濯物を干す場合、前記操作盤６を操作して前記巻取り機５の本体部１１を正方向に回転させて、前記開口部１６越しから手が届く範囲内に引掛孔４が位置するように前記吊り帯３を送給させ、前記開口部１６越しから車椅子や椅子等に座ったままの状態で洗濯物１８を吊るしたハンガー１９のフック２０を前記引掛孔４に挿入し釣支させる。このとき、前記レール２と吊り帯３とは引掛爪８及び引掛溝９によって嵌合しているので、レール２及び洗濯物１８等の重みでレール２から吊り帯３が落下することはない。
【００１５】
前記フック２０を前記引掛孔４に挿入し終えると、前記操作盤６を操作して前記巻取り機５の本体部１１を再び正回転させて前記引掛孔４の一孔分の距離だけ前記吊り帯３を送給させた後に、前述したように前記開口部１６越しから車椅子や椅子等に座ったままの状態で、別の洗濯物１８を吊るしたハンガー１９のフック２０を一孔分の距離だけ送給させた引掛孔４に挿入し釣支させる。ただし、前記吊り帯３を送給させる距離は前記引掛孔４の一孔分に限定することはなく、前記洗濯物１８の大きさ等により、種々選択することができる。
【００１６】
以上の動作を繰返して洗濯物１８を吊り帯３の各引掛孔４に釣支させた後、前記操作盤６を再び操作して前記巻取り機５の本体部１１を正回転させ、前記洗濯物１８がベランダ又は庭まで移動するよう前記吊り帯３を送給させる。その結果、前記洗濯パン１５付近で、歩行することなく車椅子や椅子等に座ったままの状態で、前記開口部１６越しに引掛孔４に釣支させた洗濯物１８を屋外の所定位置、即ちベランダ又は庭まで操作盤６からの簡単な操作で容易に移動させることができる。
【００１７】
また、このようにして、ベランダ又は庭で干された後乾燥した洗濯物１８を室内に取り込む場合は、前記巻取り機５の本体部１１を他方向に回転させて前記吊り帯３を巻き取って開口部１６越しから手が届く範囲内の屋外側まで洗濯物１８を移動させた後に、開口部１６越しから車椅子や椅子等に座ったままの状態で、前記洗濯物１８が吊るされた前記ハンガー１９の前記フック２０を前記引掛孔４から順次抜脱することで、室内の洗濯パン１５付近で歩行することなく車椅子や椅子等に座ったままの状態で、ベランダ及び庭まで洗濯物１８を取り込みに行くことなく前記開口部１６越しから前記洗濯物１８を室内に取り込むことができる。
【００１８】
なお、本発明は上記実施形態に限定されるものではなく、本発明の技術的思想を逸脱しない範囲における種々の変形例、設計変更などをその技術的範囲内に包含するものであることは云うまでもない。
【００１９】
【発明の効果】
以上説明したように、本発明の請求項１に係る洗濯物干機によれば、洗濯物を窓等の開口部からベランダ又は庭まで移動させるためのレール及び吊り帯が、室内で椅子等に座ったままの状態で手が届く範囲内の屋外側を通過するように設けられ、且つ操作盤が室内の壁等の操作し易い高さに設置されているので、車椅子利用者のようなハンディキャップを持つ人や高齢者等が、歩行したり屋外に出ることなく室内で車椅子等に座ったままの状態で、容易に洗濯パン付近に設けられた開口部越しから洗濯物を干したり取り込んだりすることができる。加えて、歩行困難な一人暮しの人も安心して洗濯を行うことができる。
【図面の簡単な説明】
【図１】本発明の実施の形態に係る洗濯物干機の概略構成を示す斜視図である。
【図２】レールの概略構成を示す拡大斜視図である。
【図３】図２のＰ−Ｐ線断面図である。
【図４】吊り帯の概略構成を示す拡大斜視図である。
【図５】図４のＱ−Ｑ線断面図である。
【図６】本発明の実施の形態に係る洗濯物干機の設置場所及び使用方法を説明するための概略斜視図である。
【符号の説明】
１　洗濯物干機
２　レール
３　吊り帯
４　引掛孔
５　巻取り機
６　操作盤
８　引掛爪
９　引掛溝
１５　洗濯パン
１６　開口部
１８　洗濯物
１９　ハンガー
２０　フック
【図１】
2004089330.tif 000003
【図２】
2004089330.tif 000004
【図３】
2004089330.tif 000005
【図４】
2004089330.tif 000006
【図５】
2004089330.tif 000007
【図６】
2004089330.tif 000008